(57)【要約】【課題】本発明は、実継ぎ接合された床材の継ぎ目部に隙間が生じにくく、雄実部を固定するための釘の打ち込み傾斜角度を４５以上に維持しながら簡単に打ち込むことのできる床材接合構造を提供することを課題とする。【解決手段】本発明の床材接合構造は、　隣接して敷設された床材１、１の相対向する端面に、互いに嵌合する雄実２と雌実３とを設けた床材接合構造において、雄実上側木口面を雄実２に向かって下り勾配となる上向き傾斜面４とし、雌実上側木口面を床表面に向かって上り勾配となる下向き傾斜面５とし、該雄実２と雌実３とが実継ぎ接合されたとき該上向き傾斜面４の上縁部と下向き傾斜面５の上縁部とが互いに圧接するよう該上向き傾斜面４の傾斜角度αよりも該下向き傾斜面５の傾斜角度βを小さくしたことを特徴とする。【選択図】　図２
2004132039.tif 000002
【特許請求の範囲】
【請求項１】
隣接して敷設された床材の相対向する端面に、互いに嵌合する雄実と雌実とを設けた床材接合構造において、雄実の上側木口面を雄実に向かって下り勾配となる上向き傾斜面とし、雌実の上側木口面を床表面に向かって上り勾配となる下向き傾斜面とし、該雄実と雌実とが実継ぎ接合されたとき該上向き傾斜面の上縁部と下向き傾斜面の上縁部とが互いに圧接するよう該上向き傾斜面の傾斜角度よりも該下向き傾斜面の傾斜角度を小さくしたことを特徴とする床材接合構造。
【請求項２】
上記上向き傾斜面と雄実の上側根元部に形成した雄実根元部傾斜面とでＶ字溝を形成するとともに、該雄実根元部傾斜面の傾斜角度を略４５度以上にした請求項１記載の床材接合構造。
【請求項３】
上記上向き傾斜面の傾斜角度を略６５度にした請求項２記載の床材接合構造。
【請求項４】
上記雄実の雄実下側木口面を略垂直面の状態で、雄実の上側根元部よりもやや雄実先端面寄りに、位置させた請求項１記載の床材接合構造。
【請求項５】
上記雄実と雌実とが実継ぎ接合されたとき、雄実下側木口面を雌実下側木口面に対向させた請求項４記載の床材接合構造。
【発明の詳細な説明】
【０００１】
【発明の属する技術分野】
本発明は、実継ぎ接合される床材接合構造に関するものである。
【０００２】
【従来の技術】
従来、隣接して敷設された床材の継ぎ目部をいわゆる実継ぎ接合し、その雄実を釘打ちで床下地材に固定したものがある（例えば、特許文献１参照。）。
【０００３】
【特許文献１】
特開平４−３６０４２号公報（第１頁、図１）
【０００４】
【発明が解決しようとする課題】
特許文献１の床材接合構造は、雄実部と雌実部のそれぞれの木口面は垂直で互いに突き合わせ接合であったから、該突き合わせ部にゴミが入った場合該ゴミ噛みの為にその継ぎ目部に隙間が生じ易かった。又、雄実部は釘で床下地材に固定されるものであったが、該釘は傾斜して打ち込まれるので、その傾斜角度が緩すぎると釘頭が４５度以上に傾き該釘頭が床材表面に凸部をつくるという問題があった。一方本願の図４に示す如く、釘頭が隠れるような溝１１を雄実２の上面根元部に形成した床材接合構造が考えられるが、この場合においても釘９の打ち込み傾斜角度が安定せず、釘９が４５度以上に傾斜した状態で打ち込まれ易く、床材１の床下地材１０への固定強度にばらつきが生じやすかった。本発明は実継ぎ接合された床材の継ぎ目部に隙間が生じにくく、雄実部を固定するための釘の打ち込み傾斜角度を４５以上に維持しながら簡単に打ち込むことのできる床材接合構造を提供することを課題とする。
【０００５】
【課題を解決するための手段】
本発明は、上記課題を解決するために、次のような技術的手段を講じている。すなわち、請求項１記載の発明は、隣接して敷設された床材の相対向する端面に、互いに嵌合する雄実と雌実とを設けた床材接合構造において、雄実の上側木口面を雄実に向かって下り勾配となる上向き傾斜面とし、雌実の上側木口面を床表面に向かって上り勾配となる下向き傾斜面とし、該雄実と雌実とが実継ぎ接合されたとき該上向き傾斜面の上縁部と下向き傾斜面の上縁部とが互いに圧接するよう該上向き傾斜面の傾斜角度よりも該下向き傾斜面の傾斜角度を小さくしたことを特徴とする床材接合構造である。このような構成により、雄実と雌実とが実継ぎ接合されたとき上向き傾斜面の上縁部と下向き傾斜面の上縁部とが互いに圧接するので、床材の実継ぎ接合部の寸法誤差をよく吸収しその継ぎ目部に隙間が生じにくいとともに、万一該上向き傾斜面と下向き傾斜面との間にゴミ等が付着していた場合でも該ゴミ噛みによる隙間が生じにくいのである。
【０００６】
請求項２記載の発明は、請求項１記載の床材接合構造において、上向き傾斜面と雄実の上側根元部に形成した雄実根元部傾斜面とでＶ字溝を形成するとともに、該雄実根元部傾斜面の傾斜角度を略４５度以上にした床材接合構造である。このような構成により、雄実根元部を釘で床下地材に固定するとき、該雄実根元部傾斜面をガイドとして釘を４５度以上の傾斜角度で打ち込み易くなり、従って、釘頭の傾斜が緩やかになり且つ釘頭がＶ字溝内に収納されるので、床材表面に凸部が発生しにくいのである。又、雄実の床下地材への固定強度も安定するのである。
【０００７】
請求項３記載の発明は、請求項２記載の床材接合構造において、上向き傾斜面の傾斜角度を略６５度にした床材接合構造である。このような構成により、Ｖ字溝の角度は７０度になり、釘の打ち込み許容傾斜角度は４５度から１１５度までの範囲となり、釘の打ち込み傾斜角度を４５度以上に保持した状態での該釘打ち込み作業が簡単になる。
【０００８】
又、請求項４記載の発明は、請求項１記載の床材接合構造において、雄実の雄実下側木口面を略垂直面の状態で、雄実の上側根元部よりもやや雄実先端面寄りに、位置させた床材接合構造である。このような構成により、雄実の雌実に対する差し込み量小さくなり実継ぎ接合作業が容易となるとともに、雄実の根元部が上下方向に一致している場合に比較して雄実の強度が向上するのである。
【０００９】
更に、請求項５記載の発明は、請求項４記載の床材接合構造において、雄実と雌実とが実継ぎ接合されたとき、雄実下側木口面を雌実下側木口面に対向させた床材接合構造である。このような構成により、万一、床材が吸湿膨張してその継ぎ目部が互いに押圧して、該上向き傾斜面を下向き傾斜面が滑り上がろうとしても、略垂直面の雄実下側木口面と雌実下側木口面とが直ちに当接するので、該継ぎ目部が盛り上りにくいのである。
【００１０】
【発明の実施の形態】
以下、本発明の好ましい実施の形態について、図面を参照してより詳細に説明する。図１は本発明の床材接合構造に係る床材を示す一部切欠斜視図、図２は上記床材の接合状態を示す部分拡大断面図、図３は上記床材の接合端部を示す部分拡大分解側面図である。図１に示す如く、床材１はその両側の接合端面に雄実２と雌実３とが形成されている。雄実２の上側木口面は雄実２の先端面２２に向かって下り勾配となる上向き傾斜面４が形成され、該上向き傾斜面４と相対向する下向き傾斜面５が、雌実３の上側木口面に形成されており、該下向き傾斜面５は床表面に向かって上り勾配となっている。７は雄実下側木口面、８は雌実下側木口面であり、雄実下側木口面７及び雌実下側木口面８は垂直な面となっている。９は釘、１０は床下地材、１２は面取り部である。
【００１１】
実施例において、雄実２の上向き傾斜面４の傾斜角度αは６５度、雄実根元部傾斜面２１の傾斜角度γは４５度であり、Ｖ字溝６の角度は７０度である。従って、釘９の打ち込み許容傾斜角度は４５度から１１５度までの範囲となり、釘の打ち込み傾斜角度を４５度以上に保持した状態での該釘打ち込み作業が簡単になっている。又、雌実３の下向き傾斜面５の傾斜角度βを６０度とし上向き傾斜面４の傾斜角度６５度よりも小さくしている。図３において、Ａは６ｍｍ、Ｂは７ｍｍ、Ｃは３ｍｍ、Ｄは３．５ｍｍ、Ｅは４．１ｍｍ、Ｆは４ｍｍ、Ｇは５ｍｍ、Ｈは５．２ｍｍ、Ｖ字溝６の深さＪは１ｍｍ、床材２の厚みＴは１２ｍｍである。
【００１２】
図２に示す如く、床材１を床下地材１０に敷設した状態では、釘９は４５度の傾斜角度で雄実根元部傾斜面２１の傾斜角度４５度に沿ってＶ字溝６の底部から床下地材１０に打ち込まれている。雄実２側の上向き傾斜面４の上縁部に雌実３側の下向き傾斜面５の上縁部が圧接し、その下方に三角形状の隙間Ｓが生じている。該隙間ＳはＶ字溝６に連通している。該三角形の隙間Ｓにゴミ等が介在している場合でも、継ぎ目部表面に隙間ができないようになっている。該継ぎ目部には面取り部１２、１２で構成されるＶ溝目地が形成されている。該Ｖ溝目地が多少開いても、上向き傾斜面４が存在するのでＶ溝目地の深さはあまり大きくならず気にならないようになっている。雄実２の先端面２２は雌実３の底部に対して僅かな隙間がり、同様に、雄実下側木口面７と雌実下側木口面８との間にも僅かな隙間が生じている。若し、床材１、１が吸湿効果により膨張したとき雄実下側木口面７と雌実下側木口面８とが直ちに当接するので、上向き傾斜面４に対し下向き傾斜面５が僅かに滑り上がるだけで、該継ぎ目部が極端に盛り上るということはない。
【００１３】
【発明の効果】
以上述べたように、請求項１記載の発明は、雄実２の上側木口面を雄実２に向かって下り勾配となる上向き傾斜面４とし、雌実３の上側木口面を床表面に向かって上り勾配となる下向き傾斜面５とし、該雄実２と雌実３とが実継ぎ接合されたとき該上向き傾斜面４の上縁部と下向き傾斜面５の上縁部とが互いに圧接するよう該上向き傾斜面４の傾斜角度αよりも該下向き傾斜面５の傾斜角度βを小さくしたから、雄実２と雌実３とが実継ぎ接合されたとき上向き傾斜面４の上縁部と下向き傾斜面５の上縁部とが互いに圧接するので、床材１の実継ぎ接合部の寸法誤差をよく吸収しその継ぎ目部表面に隙間が生じにくいとともに、万一該上向き傾斜面４と下向き傾斜面５との間にゴミ等が付着していた場合でも該ゴミ噛みによる隙間が生じにくいのである。
【００１４】
請求項２記載の発明は、請求項１記載の床材接合構造において、上向き傾斜面４と雄実２の上側根元部に形成した雄実根元部傾斜面２１とでＶ字溝６を形成するとともに、該雄実根元部傾斜面２１の傾斜角度γを略４５度以上にしたから、雄実根元部を釘９で床下地材１０に固定するとき、該雄実根元部傾斜面２１をガイドとして釘９を４５度以上の傾斜角度で打ち込み易くなり、従って、釘頭の傾斜が４５度以上にならず緩やかになり且つ釘頭がＶ字溝６内に収納されるので、床材表面に凸部が発生しにくいのである。又、雄実の床下地材への固定強度も安定するのである。
【００１５】
請求項３記載の発明は、請求項２記載の床材接合構造において、上向き傾斜面４の傾斜角度αを略６５度にしたから、Ｖ字溝６の角度は７０度になり、釘９の打ち込み許容傾斜角度は４５度から１１５度までの範囲となり、釘の打ち込み傾斜角度を４５度以上に保持した状態での釘打ち込み作業が簡単になる。
【００１６】
又、請求項４記載の発明は、請求項１記載の床材接合構造において、雄実２の雄実下側木口面７を略垂直面の状態で、雄実２の上側根元部よりもやや雄実先端面２２寄りに、位置させたから、雄実２の雌実３に対する差し込み量小さくなり実継ぎ接合作業が容易となるとともに、雄実２の根元部が上下方向に一致している場合に比較して雄実２の強度が向上するのである。
【００１７】
更に、請求項５記載の発明は、請求項４記載の床材接合構造において、雄実２と雌実３とが実継ぎ接合されたとき、雄実下側木口面７を雌実下側木口面８に対向させたから、万一、床材１、１が吸湿膨張してその継ぎ目部が互いに押圧し合い、該上向き傾斜面４を下向き傾斜面５が滑り上がろうとしても、略垂直面の雄実下側木口面７と雌実下側木口面８とが直ちに当接するので、該継ぎ目部が盛り上りにくいのである。
【図面の簡単な説明】
【図１】本発明の床材接合構造に係る床材を示す一部切欠斜視図。
【図２】上記床材の接合状態を示す部分拡大断面図。
【図３】上記床材の接合端部を示す部分拡大分解側面図。
【図４】従来例の床材の接合状態を示す部分拡大断面図。
【符号の説明】
１　　　　　床材
２　　　　　雄実
２１　　　　雄実根元部傾斜面
２２　　　　雄実の先端面
３　　　　　雌実
４　　　　　雄実側の上向き傾斜面
５　　　　　雌実側の下向き傾斜面
６　　　　　Ｖ字溝
７　　　　　雄実下側木口面
８　　　　　雌実下側木口面
９　　　　　釘
１０　　　　床下地材
１１　　　　従来の溝
１２　　　　面取り部
α　　　　　上向き傾斜面の傾斜角度
β　　　　　下向き傾斜面の傾斜角度
γ　　　　　雄実根元部傾斜面の傾斜角度
Ｓ　　　　　上向き傾斜面と下向き傾斜面との間の三角形状の隙間
【図１】
2004132039.tif 000003
【図２】
2004132039.tif 000004
【図３】
2004132039.tif 000005
【図４】
2004132039.tif 000006